(57)【特許請求の範囲】
【請求項１】
一枚のブランクシートから一体的に打ち抜かれた箱体形成片から成り、前記箱体形成片には、第一側面板、正面板、第二側面板、背面板が順に互いに平行な折罫線を介して連接され、前記背面板と前記正面板には、前記連接方向に対して直角な一端部に外蓋片又は内蓋片が各々延設され、
組み立て状態で、前記第一側面板、前記正面板、前記第二側面板及び前記背面板から成る筒状体の一方の開口端を、前記内蓋片に前記外蓋片を重ねて糊付けして塞ぐように形成された包装用箱において、
前記内蓋片又は外蓋片の先端部に、前記内蓋片又は外蓋片の延出方向と同方向に延出した中蓋片が延設され、前記中蓋片の先端部には再封片が延設され、
前記中蓋片が延設された方の前記内蓋片又は外蓋片と、前記背面板又は正面板との間に開封用切込線が形成され、
組み立て状態で、前記中蓋片と前記内蓋片又は外蓋片とが折り曲げられて糊付けされ、
前記開封用切込線を破断して前記外蓋片を開封した後も、前記再封片を前記筒状体の開口端部分に係合することによって前記外蓋片による再封を可能にしたことを特徴とする包装用箱。
【請求項２】
前記正面板又は背面板には、前記開封用切込線と破断線による開封部が設けられている請求項１記載の包装用箱。
【請求項３】
前記中蓋片には、その両端から内向きに、切欠部が設けられている請求項１記載の包装用箱。
【請求項４】
前記中蓋片の先端部と前記再封片の間の折罫線には、断続した切込線が設けられている請求項１記載の包装用箱。
【請求項５】
前記再封片の幅は、前記正面板又は背面板の幅と等しいものである請求項４記載の包装用箱。
【請求項６】
前記再封片の両端から内向きの位置に一対の切込部が設けられ、前記外蓋片を開封した後、前記切込部が前記各側面板に設けられたフラップ端縁に係合することによって前記外蓋片による再封を可能にした請求項５記載の包装用箱。
【発明の詳細な説明】
【技術分野】
【０００１】
この発明は、商品等を収容するシールエンドカートン型の包装用箱に関する。
【背景技術】
【０００２】
従来から、商品を収容して搬送されそのまま店頭に陳列するための包装用箱として、一枚のブランクシートから一体的に打ち抜いた箱体形成片を立体的に組み立てたシートエンドカートン型の包装用箱が使用されている。この箱体形成片には、例えば、平行に連接された４つの側面と、この一側面の両端部に形成された上蓋片と、組み立て状態でこの側面に隣接せず対向する側面の両端部に形成された内蓋片と、その他の一対の側面の両端部に形成されたフラップが設けられている。また、外側に位置する一側面の側縁部には糊付片が設けられている。
【０００３】
この箱体形成片を組み立てるときは、糊付片を反対側の側面裏面に糊付けし、各側面が各々９０度になるように１アクションで引き起こして四角い筒状体を形成する。そして筒状体の一端部にある一対のフラップを側面に対して９０度に折り曲げ、次に内蓋片を折り曲げ、その内蓋片の表面に糊を塗布し、その上面に外蓋片を折り重ねて糊付けして閉鎖する。そして、商品を収容後、筒状体の他方の端部も同様に閉鎖する。
【０００４】
さらに、上記の基本的な構成に加え、開封操作を容易にしたシールエンドカートン型の包装用箱も複数提案されている。例えば、特許文献１に開示されているように、一の側面（表面板）と内蓋片（一方の天板）とを区切る折罫線に沿って略Ｌ字状の切目を設け、さらに当該側面に、当該折罫線と半円形状の切取線で囲まれた摘み部を設けた包装容器がある。この包装容器を開封するときは、摘み部を指で押し破り、外蓋片及び内蓋片を引き上げるようにして略Ｌ字状の切目を破断させ、筒状体の一端部を開放する操作を行う。
【０００５】
また、特許文献２に開示されているように、内蓋片（外受けフラップ）と重ならない外蓋片（外蓋フラップ）の部分に、二本の開封用切込線を平行に設けた包装箱がある。この開封用切込線は、開封用切込線に挟まれた部分の端部を摘んで引き剥がすことによって容易に開封することができるだけでなく、不正に開封されたか否かを判別しやすいという機能も有する。
【先行技術文献】
【特許文献】
【０００６】
【特許文献１】特開２００３−１１９６１号公報
【特許文献２】特開２００３−１３７２７４号公報
【発明の概要】
【発明が解決しようとする課題】
【０００７】
しかし、特許文献１，２の包装容器及び包装用箱は、開封後、外蓋片を閉じて保持する機構がなく、一旦商品を取り出した包装用箱を再封することができないものであった。また、特許文献２の包装箱は、開封したときに開封用切込線に挟まれた部分が本体から分離してゴミになるので、その処理が面倒であるという問題もあった。
【０００８】
この発明は、上記背景技術に鑑みて成されたものであり、簡単な構造で容易に開封することができ、再封も可能なシールエンドカートン型の包装用箱を提供することを目的とする。
【課題を解決するための手段】
【０００９】
この発明は、一枚のブランクシートから一体的に打ち抜かれた箱体形成片から成り、前記箱体形成片には、第一側面板、正面板、第二側面板、背面板が順に互いに平行な折罫線を介して連接され、前記背面板と前記正面板には、前記連接方向に対して直角な一端部に外蓋片又は内蓋片が各々延設され、組み立て状態で、前記第一側面板、前記正面板、前記第二側面板及び前記背面板から成る筒状体の一方の開口端を、前記内蓋片に前記外蓋片を重ねて糊付けして塞ぐように形成された包装用箱であって、前記内蓋片又は外蓋片の先端部に、前記内蓋片又は外蓋片の延出方向と同方向に延出した中蓋片が延設され、前記中蓋片の先端部には開封用切込線を介して再封片が延設され、前記中蓋片が延設された方の前記内蓋片又は外蓋片と、前記背面板又は正面板との間に開封用切込線が形成され、組み立て状態で、前記中蓋片と前記内蓋片又は外蓋片とが折り曲げられて糊付けされ、前記開封用切込線を破断して前記外蓋片を開封した後も、前記再封片を前記筒状体の開口端部分に係合することによって前記外蓋片による再封を可能にした包装用箱である。さらに、前記正面板又は背面板には、前記開封用切込線と破断線による開封部が設けられている。
【００１０】
また、前記中蓋片には、その両端から内向きに、切欠部が設けられている。前記中蓋片の先端部と前記再封片の間の折罫線には、断続した切込線が設けられていてもよい。
【００１１】
前記再封片の幅は、前記正面板又は背面板の幅と等しいものであることが好ましい。さらに、前記再封片の両端から内向きの位置に一対の切込部が設けられ、前記外蓋片を開封した後、前記切込部が前記各側面板に設けられたフラップ端縁に係合することによって前記外蓋片による再封を可能にしてもよい。
【発明の効果】
【００１２】
この発明の包装用箱は、簡単な構造で組み立て易く、開封の操作が容易で、開封後も違和感なく確実に再封することができる。しかも、既存のシールエンドカートンを用いる包装装置を利用することができ、包装の作業性がよいものである。
【図面の簡単な説明】
【００１３】
【図１】この発明の一実施形態の包装用箱の開封前の外観を示す斜視図である。
【図２】この実施形態の包装用箱の箱体形成片の裏面側を示す展開図である。
【図３】図２の箱体形成片の組み立て工程を示す背面図（ａ）、正面図（ｂ）である。
【図４】この実施形態の包装用箱の開封状態を示す部分拡大斜視図である。
【発明を実施するための形態】
【００１４】
以下、この発明の一実施形態について、図面に基づいて説明する。図１はこの発明の一実施形態の包装用箱１０を示したもので、包装用箱１０は、図２に示す箱体形成片１２を組み立てることによって形成されている。
【００１５】
箱体形成片１２は、厚紙等の一枚のブランクシートを打ち抜いて形成され、第一側面板１４、正面板１６、第二側面板１８、背面板２０が順に連接されている。さらに、組み立て状態で第一側面板１４の内側に糊付けされる糊付片２２が、背面板２０の側方に連接されている。第一側面板１４、正面板１６、第二側面板１８、背面板２０、糊付片２２は、各々折罫線２４，２６，２８，３０で区切られている。
【００１６】
第一側面板１４の一端部にはフラップ３２が延設され、フラップ３２は、折罫線３４で第一側面板１４の端部と区切られている。第一側面板１４の他端部には、フラップ３２と同形のフラップ３６が延設され、折罫線３８で第一側面板１４と区切られている。
【００１７】
第一側面板１４のフラップ３２と同じ側であって、正面板１６の一端部には、基端部の幅が正面板１６の端辺の長さ（正面板１６の幅）と等しく、先端側の幅が狭くなっている台形状の内蓋片４０が延設され、第一折罫線４２で正面板１６と区切られている。
【００１８】
内蓋片４０の先端部には、内蓋片４０の延設方向の長さにほぼ等しい延出長の中蓋片４４が延設され、第二折罫線４６で内蓋片４０と区切られている。中蓋片４４の先端部は、幅が第一折罫線４２の長さと等しいか僅かに狭い。また、中蓋片４４には、内蓋片４０との境界部分の両端から内向きに第二折罫線４６の両端部を頂点とする一対のＶ字状の切欠部４９が設けられ、中蓋片４４と内蓋片４０を区切る第二折罫線４６の長さが第一折罫線４２よりも短くなっている。これにより、組み立て状態で中蓋片４４が確実に内蓋片４０の内側に位置する。
【００１９】
さらに、中蓋片４４の先端部には、中蓋片４４の延設長さよりもやや短い再封片４８が延設され、第三折罫線５０で中蓋片４４と区切られている。再封片４８の幅は正面板１６の幅とほぼ等しく、先端角部が円弧状に形成されている。
【００２０】
第一折罫線４２の両端から内向きに各々所定長さに亘り、切刃などで形成した開封用切込線５２が設けられている。一対の開封用切込線５２の先端部間の正面板１６には、第一折罫線４２の部分と、その部分の両端を起点として形成されたＵ字状の破断線５４とで囲まれた開封部５６が設けられている。開封部５６の大きさは、再封片４８よりも小さい。
【００２１】
第三折罫線５０の両端より僅かに再封片４８の先端側の位置には、内向きに一対の切込部５８が設けられている。一対の切込部５８間の第三折罫線５０には、断続する切込線６０が設けられている。
【００２２】
正面板１６の他端部には、内蓋片４０とほぼ同形の内蓋片６２が延設され、折罫線６４で正面板１６と区切られている。
【００２３】
第二側面板１８の一端部にはフラップ６６が延設され、折罫線６８で第二側面板１８と区切られている。第二側面板１８の他端部には、フラップ６６と同形のフラップ７０が延設され、折罫線７２で第二側面板１８と区切られている。
【００２４】
背面板２０の一端部には略矩形の外蓋片７２が延設され、折罫線７４で背面板２０と区切られている。外蓋片７２の延設方向長さは、第一及び第二側面板１４，１８の連接方向長さとほぼ等しい。背面板２０の他端部には、外蓋片７２と同形の外蓋片７６が延設され、折罫線７８で背面板２０と区切られている。
【００２５】
次にこの箱体形成片１２の組み立て方法について、図２、図３に基づいて説明する。ここで、図２、図３（ａ）は、箱体形成片１２を裏面側から見たものであり、図３（ｂ）は、表面側から見たものである。以下、箱体形成片１２の表面側が凸になる折り方を正折り、裏面側が凹になる折り方を逆折りと称する。
【００２６】
まず、図２に示すように中蓋片４４の裏面に糊８０を塗布し、図２（ａ）に示すように第二折罫線４６を正折りし、中蓋片４４の裏面と内蓋片の裏面とを糊付けする。中蓋片４４には一対の切欠部４９が設けられているので、中蓋片４４を第二折罫線４６を正折りするとき、近接するフラップ３２，６６に干渉せず組み立て易い。
【００２７】
次に、図３（ｂ）に示すように、糊付片２２の表面に糊８２を塗布し、折罫線２８を正折りし、さらに折罫線２４を正折りし、糊付片２２の表面を第一側面板１４の裏面に糊付けする。
【００２８】
次に商品を収容し包装する工場等において、折罫線２４，２６，２８，３０を各々９０度になるように正折りして、四角形の筒状体を形成する。そして、筒状体の底部となる一方の端部を閉鎖する。まず、フラップ３６，７０を各々折罫線３８，７２で９０度に正折りし、図３（ｂ）に示すように、内蓋片６２の表面の折罫線６４寄りの位置に糊８４を塗布し、内蓋片６２を折罫線６４で９０度に正折りする。そして外蓋片７６を折罫線７８で９０度に正折りし、外蓋片７６の裏面に内蓋片６２の表面を糊付けする。次に、瓶入りの医薬品等の商品を、開放している筒状体の端部から内側に挿入する。
【００２９】
その後、フラップ３２，６６を各々折罫線３４，６８で９０度に正折りし、図３（ｂ）に示すように、内蓋片４０の表面の第一折罫線４２寄りの位置に糊８６を塗布し、内蓋片４０を第一折罫線４２で９０度に正折りする。このとき、内蓋片４０に糊付された中蓋片４４も同時に第三折罫線５０で逆折りされる。第三折罫線５０の位置には、切込部５８と切込線６０が設けられているので容易に９０度に折れ曲がり、再封片４８が無理なく筒状体の内側に収容される。そして、外蓋片７２を折罫線７４で９０度に正折りし、外蓋片７２の裏面に内蓋片４０の表面を糊付けする。
【００３０】
次に、この包装用箱１０を開封及び再封する操作について説明する。開封するときは、正面板１６の開封部５６を指で押し破り、外蓋片７２、中蓋片４４及び内蓋片４０を摘んで引き上げるようにして開封用切込線５２を破断させ、筒状体の端部を開放して中の商品を取り出す。このとき、図４に示すように、中蓋片４４及び再封片４８は第二折罫線５０を介して内蓋片４０に繋がっており、開封部５６も第一折罫線４２を介して内蓋片４０に繋がっているので、本体から分離するゴミは生じない。
【００３１】
開封後、包装用箱１０の中に商品を戻して再封するときは、フラップ３２，６６と正面板１６との隙間に再封片４８を差し込んで係合させることによって筒状体の端部を閉鎖する。再封片４８は、先端角部が円弧状に形成されているので、当該隙間に容易に差し込むことができる。正面板１６の開封部５６が除去された開口部は、再封片４８によって塞がれる。
【００３２】
再封片４８は、その幅が正面板１６の幅いっぱいに広く設定されており、再封片４８が正面板１６の内面に当接する面積が大きいので、深く差し込むと、その位置に安定に係止される。また、再封片４８とフラップ３２，６６とが広い範囲で互いに係合するので、閉鎖状態の保持が良好である。さらに、第三折罫線５０の両端から一対の切込部５８が設けられ、切込部５８とフラップ３２，６６の端縁とが互いに係合するので、閉鎖状態を確実に保持することができる。
【００３３】
以上説明したように、この実施形態の包装用箱１０は、簡単な構造で組み立て易く、外蓋片７２を開封する操作が容易で、開封後も違和感なく確実に再封することができる。また、構成である中蓋片４４と再封片４８が内蓋片４０の先端部に延設されているので、箱体形成片１２から延出する部分が小さく、一枚のブランクシートからより多くの箱体形成片１２を打ち抜くことができる。
【００３４】
なお、この発明の包装用箱は上記実施形態に限定されるものではなく、内蓋片と外蓋片を逆にして、外蓋片側に中蓋片等を延設しても良い。その場合、開封部は外蓋片が設けられた側面板に形成される。即ち、中蓋片と再封片が設けられた蓋片が延出した側面板に、開封部が形成されれば良い。さらに、箱体の大きさ、素材、各部材の形状等は適宜変更可能である。また、第一折罫線の一端から他端まで全長にわたって沿うように開封用切込線を設け、正面板に開封部を設けない構成にしてもよい。また、天板側だけでなく、底板側にも上記のような中蓋片及び再封片を設け、筒状体の両側を開封及び再封可能な構造にしてもよい。
【符号の説明】
【００３５】
１０  包装用箱
１２  箱体形成片
１４  第一側面板
１６  正面板
１８  第二側面板
２０  背面板
３２，３６，６６，７０  フラップ
４０，６２  内蓋片
４２  第一折罫線
４４  中蓋片
４６  第二折罫線
４８  再封片
５０  第三折罫線
５２  開封用切込線
５４  破断線
５６  開封部
５８  切込部
６０  切込線
７２，７６  外蓋片
８０，８２，８４，８６  糊
【図１】
0005259754.tif 000002
【図２】
0005259754.tif 000003
【図３】
0005259754.tif 000004
【図４】
0005259754.tif 000005